(57)【特許請求の範囲】
【請求項１】
母線を相互に電気接続するための内部電極と、
該内部電極に着脱可能に取付けられて前記母線の導体を前記内部電極とともに挟持する半割りスリーブと、
前記母線の連結部を含む分岐接続部全体を包囲し、前記母線を含む面で分割されたブッシングとを備えたことを特徴とする母線接続部。
【請求項２】
ブッシングの分割面を挟む端部に形成された円錐状部を受け入れて嵌合し、前記分割されたブッシングを位置決めする位置決め環を備えたことを特徴とする請求項１記載の母線接続部。
【請求項３】
母線の連結部を含む接続部全体を包囲し、前記母線を含む面で分割されたブッシングと、
前記ブッシング分割面に挟み込まれた弾性絶縁体と、
前記分割されたブッシングを前記分割面を加圧しつつ一体化する固定部材を備えたことを特徴とする母線接続部。
【発明の詳細な説明】
【０００１】
【産業上の利用分野】
本発明は、盤間母線のＴ分岐接続部等に適する母線接続部に関する。
【０００２】
【従来の技術】
例えば、ＧＩＳ等の機器へケーブルを接続するためのＴ型接続部や、列盤キュービクルの母線接続部、引込み引出しケーブル接続部等に、経済性やコンパクト性、或は取扱の便利性から、Ｔ型構造のブッシングとケーブル状の母線との組み合せが広く採用される。
図２に従来のこの種の母線接続部斜視図を示す。
図において、この母線接続部１は、エポキシ樹脂等から成るブッシング２の内部で、ケーブル状の母線３の導体４を内部電極５を用いて電気接続部した構造のものである。この内部電極５には、導体引出し棒６が接続されて機器の内部回路等と電気接続される。
【０００３】
【発明が解決しようとする課題】
ところで、上記のような構成の母線接続部を複数並べて配置し、相互間を母線により接続する場合、従来次のような方法が採用されていた。
図３に従来の母線接続方法説明図を示す。
図において、左右に一定の距離離れて配置された２個の母線接続部２−１及び２−２の間を母線３を用いて電気接続する場合、この母線３は予めその両端で導体４を露出させる端末処理を行った後、例えば母線接続部２−１の左側から矢印８のように直線的に挿入し、もう一方の母線接続部２−２にこの母線３の一端を挿入するようにしていた。
【０００４】
また、この他の方法としては、例えば矢印９のように母線接続部２−１の右側から母線３の一端を挿入した後、母線３の他端をもう一方の母線接続部２−２に向けて、今度は反対方向に母線３をずらして挿入するといった方法が採用されていた。
これらは何れも、母線３の剛性が高いため容易に折り曲げることができないことから採用された工法である。
【０００５】
しかしながら、上記のような従来の方法では、母線接続部は予め決められた手順で組み立てる必要があり、例えば上記のような母線接続部が長手方向に３個以上配列され、これらの間を次々と母線３を用いて接続するような場合、任意の場所から母線挿入作業を開始することが困難であるという問題があった。特に、このような場合、完成後も任意の母線接続部を解体しようとすれば、その前後の母線接続部も同時に解体しなければならないという問題もあった。
【０００６】
本発明は以上の点に着目してなされたもので、この種の母線接続部の組立接続作業を容易にし、任意の母線接続部を自由に解体することができる構成の母線接続部を提供することを目的とするものである。
【０００７】
【課題を解決するための手段】
本発明の第１発明は、母線を相互に電気接続するための内部電極と、該内部電極に着脱可能に取付けられて前記母線の導体を前記内部電極とともに挟持する半割りスリーブと、前記母線の連結部を含む分岐接続部全体を包囲し、前記母線を含む面で分割されたブッシングとを備えたことを特徴とする母線接続部に関する。
又、第２発明は、上記母線接続部において、分割されたブッシング片の合わせ目部分に形成された円錐状部を受け入れて嵌合し、前記分割されたブッシング片を位置決めする位置決め環を備えることを特徴とする。
第３発明は、母線の連結部を含む接続部全体を包囲し、前記母線を含む面で分割されたブッシングと、前記ブッシング分割面に挟み込まれた弾性絶縁体と、前記分割されたブッシングを前記分割面を加圧しつつ一体化する固定部材を備えたことを特徴とする母線接続部に関する。
【０００８】
【作用】
この母線接続部を構成するブッシングや、母線間を連結するための部分は、全体として分割可能な構成とされている。従って、母線を長手方向に移動させないで母線相互の接続やブッシングの組立を行うことができる。なお、分割されたブッシング片は位置決め環によって正確に位置決めされ固定部材により一体化される。
【０００９】
【実施例】
以下、本発明を図の実施例を用いて詳細に説明する。
図１は本発明の母線接続部実施例を示すもので、（ａ）はその縦断面図、（ｂ）はそのＡ−Ａ線に沿う主要部断面図である。
図の母線接続部は、左右一対の母線３を相互に電気接続するためのものである。この分岐接続部全体はブッシング１１により包囲されており、このブッシング１１は（ｂ）に示す分割面１０を境に上下に２分割された構成となっている。
【００１０】
また、ケーブル状の母線３の端部から露出した導体４は、このブッシング１１の内部で内部電極１２に電気接続される。この内部電極１２は、この実施例では導体４の下半分に電気的に接触し、導体４の上半分には半割りスリーブ１３が接触する構成となっている。なお、この半割りスリーブ１３にはボルト孔１３−１が設けられ、ここに挿入されたボルト１４が内部電極１２のボルト孔１２−１にねじ込まれることによって半割りスリーブ１３と内部電極１２とが一体化される構成となってる。なお、ブッシング１１の分割された上半分の内側には、電気的保護のためにガード電極１５が設けられている。
【００１１】
また、母線３の端部には、ブッシング１１との間に生じた隙間を埋めるため絶縁スペーサ１７が嵌め込まれている。この絶縁スペーサ１７は、絶縁性のゴム等から構成される。また、この絶縁スペーサ１７の端部の気密性保持のために、シール部１８が設けられ、これは母線３の外皮を強く把持するように配置されている。
また、ブッシング１１の両端にはその分割面１０を挟むように円錐状部１１−１が形成されており、ここにはこの円錐状部１１−１と嵌合する位置決め環２０が嵌め込まれている。
【００１２】
更に、２つ割りされたブッシング１１の分割面１０には図（ｂ）に示すように弾性絶縁体例えば絶縁ゴム２１が挟み込まれている。この絶縁ゴム２１は、図１（ｂ）に示すようにブッシング１１を組み立てた時、分割面１０の部分で一定以上の圧力を相互に及ぼし、密着性を高めて電気的絶縁を確保するために設けられている。このような構成を取ることによって、ブッシング１１の分割が可能となる。
【００１３】
以上の構成の本発明の母線接続部は、母線３を相互に電気接続する場合、予めブッシング１１の上半分と半割りスリーブ１３を取り除いておく。これによって、母線３は長手方向の移動を伴わず、上方から平行移動させることによって直ちに内部電極１２の所定位置にセットすることができる。その後、半割りスリーブ１３をボルト１４を用いて固定し、ブッシング１１を一体化すれば接続作業が完了する。従って、このような接続作業は従来よりも十分に簡略化される。
【００１４】
なお、このような目的から、ブッシング１１の分割面１０の構成は、この他にも各種の態様が考えられる。
図４は本発明の母線接続部のブッシング分割方法説明図である。
例えば図４（ａ）に示すように、ブッシング１１−５を上下に単純に２分割し、その境界面１０−１に板状の絶縁ゴムを挟み込む。
また、（ｂ）に示すように、ブッシング１１−６を上下に２分割し、その分割面は波状とし、そこに同様の絶縁ゴムを挟み込む。（ｃ）の例では分割面１０−４が母線の軸を通らない面に形成されている。この場合にも、やはり分割面の間に絶縁ゴムを挟み込む。また（ｄ）の例では、ブッシング１１−８が３つの分割面１０−５によって３分割されている。このように２以上の自由な面によってブッシングを分割することができる、特に大型ブッシングの場合にはこのような多分割構成にすることが好ましい。
【００１５】
次に（ｅ）の実施例では、２分割されたブッシング１１−９の上半分がほぼ山型の断面形状とされ、その分割面１０−６はやや放物線状に形成されている。このような形状でもブッシング１１−９の上部が開放され母線の連結部を上方から平行移動させながらブッシング内に収容することができる。同図（ｆ）の場合も同様で、（ｅ）に示す実施例とちょうど上下が逆になった断面構成とされている。このブッシング１１−１０の場合、上半分を取り除くと母線の連結部が広く開放される。従って、このような構成ならば、母線の連結部自体は図１に示したような半割スリーブを用いず、圧縮接続等の方法を採用することが可能である。
【００１６】
（ｇ）の実施例は、断面がちょうど扇型になるように、分割面１０−８を形成したブッシング１１−１１を示している。その作用は（ｅ）、（ｆ）と同様である。
また、これまでの例ではブッシングの断面はすべて円形であったが、図の（ｈ）に示すようにブッシングの断面を長方形にしても差し支えない。この実施例のブッシング１１−１２の分割面１０−９は直線的であるが、その分割面は（ａ）〜（ｇ）に示したように曲面でもよいし、又適当に傾いていても差し支えない。
【００１７】
図５に、図１に示した位置決め環２０の効果を示すブッシング側面図を図示した。
図５に示すブッシング１１は、上下に２分割され、単にバンド２３を用いて一体化されている。しかしながら、このようなバンド２３を用いた場合、必ずしもブッシング１１の分割面が正確に位置合わせできるとは限らない。
そこで、本発明の図１に示す実施例では、ブッシング１１の両端部に円錐状部１１−１を設け、これに嵌合する位置決め環２０を設けている。これによって、ブッシング１１の分割された上下部分は正確に位置決めされ一体化される。従って、この場合には、ブッシング１１を一体化するための、例えばボルトその他の部品等が省略できる。
【００１８】
図６には、分割されたブッシングを固定し、一体化するための固定部材実施例を示す。（ａ）〜（ｆ）はいずれもブッシングの端面側からみた固定部材を示している。
図の（ａ）の実施例では、ブッシング１１−５を図４（ａ）に示した実施例のものとしている。この場合上下に分割されたブッシング１１−５を固定一体化するために帯状のサドル２５−１を使用し、その両端をボルト２６−１によって図示しない基台等に固定するようにしている。このボルト２６−１を締め付けることによってブッシング１１−５の分割面に圧力が加わり、先に説明した弾性絶縁体を挟み付ける。
図（ｂ）はブッシング１１−１３の上半分の側面にリブ２７を設けている。このリブ２７を鍵形の固定部材２５−２によって押え、ボルト２６−１によって締め付ける構成となっている。
【００１９】
また、図６（ｃ）に示す実施例では、ブッシング１１−１４の分割された上下の分割面近傍側面にそれぞれリブ２７が設けられている。そして、このリブ２７を貫通するようにボルト２５−３が設けられ、両者を締め付け一体化している。図の（ｄ）の実施例では、ブッシング１１−１５の上半分の側面にリブ２７を設け、下半分は上半分よりも大きな半径になるように形成している。そして、上半分のリブ２７を貫通し、下半分の上側面にねじ込まれるようにボルト２５−４を設けている。これらによってブッシング１１−１５が一体化される。
【００２０】
（ｅ）の実施例では、（ａ）の実施例のサドル２５−１を２分割したようなサドル２５−５を設けている。この両者をボルト２６−２によって締め付け、ブッシング１１−１６の締め付け力を増加させている。従って、ボルト２６−１の締め付け力を調整する必要は無くなる。（ｆ）は、ブッシング１１−１７の下半分を台形にし、その上部にリブ２８を設けている。そして、サドル２５−６をＣ字型とし、その中央を２分割している。ボルト２６−２はこのサドル２５−６を締め付け、ブッシング１１−１７の分割面に充分な圧力を加えるようにしている。以上のような構成によって、分割されたブッシングの分割面にはさみこまれた弾性絶縁体に適度な圧力を加えつつ、ブッシングを一体化することが可能になる。
【００２１】
本発明は以上の実施例に限定されない。
上記実施例では、母線接続部をＴ分岐型のものとして説明したが、例えばＹ分岐やＬ型の分岐或は直線接続部等についても同様の構成を採用することが可能である。また母線は、その構造は従来の通常の電力ケーブルと同様の構成のものであってもよいし、また断面が丸でなく偏平なものであっても差し支えない。また、内部電極や半割りスリーブの形状や長さ、その他両者を連結する構成等も同様の機能を持つ範囲で自由に変更して差し支えない。更に、ブッシングを分割した分割面に挟み込む弾性絶縁体は、絶縁ゴムに限らず、例えば絶縁性のプラスチック等であっても差し支えない。
【００２２】
【発明の効果】
以上説明した本発明の母線接続部は、母線を相互に電気接続するための電極やブッシングが全体として分割できる構造とされているため、母線を長手方向に移動させることなく容易に接続部を完成することができる。従って、接続部組立作業が簡略化され、その作業時間を短縮することができる。また、このような母線接続部が３個以上並んで配置されているような場合であっても、個別に任意の母線接続部のみを解体し、保守管理や事故復旧等を図ることができ、この種の作業が容易になる。更に、位置決め環により分割されたブッシングを一体化するようにすれば、分割されたブッシングの各分割片の位置決めが容易になり正確になる。
また、固定部材によりブッシング分割面を加圧してブッシングを一体化し、その電気特性を維持することができる。更に、母線の長さの範囲で各種の接続作業を行うことできるという効果もある。
【図面の簡単な説明】
【図１】本発明の母線接続部実施例を示すもので、（ａ）はその縦断面図、（ｂ）はそのＡ−Ａ線に沿う主要部断面図である。
【図２】従来一般の母線接続部斜視図である。
【図３】従来の母線接続部組立方法説明図である。
【図４】本発明の母線接続部のブッシング分割方法説明図である。
【図５】ブッシングを一体化する位置決め環の効果説明図である。
【図６】本発明のブッシングを一体化する固定部材実施例の端面図である。
【符号の説明】
３  母線
４  導体
１１  ブッシング
１１−１  円錐状部
１２  内部電極
１３  半割りスリーブ
１４  ボルト
２０  位置決め環
２５−１  固定部材
【図１】
0003550569.tif 000002
【図２】
0003550569.tif 000003
【図３】
0003550569.tif 000004
【図４】
0003550569.tif 000005
【図５】
0003550569.tif 000006
【図６】
0003550569.tif 000007